(57)【要約】      （修正有）【課題】生産性を損なうことなく、特に高周波信号の伝送を行う場合の伝送特性を、簡易な構成で容易に向上させることを可能とする。【解決手段】電子回路の接続経路ごとに、信号線ＳＣａ及びグランド線ＳＣｂを分離・独立させた一組の単位接続ユニット１２を複数組構成し、電子回路の各接続経路ごとに区分された一つの単位接続ユニット１２内の信号線ＳＣａ及びグランド線ＳＣｂを、他の単位接続ユニット１２内の信号線ＳＣａ及びグランド線ＳＣｂから分離・独立させることにより、各単位接続ユニット１２内のグランド線ＳＣｂどうしをコモン接続しても、グランド線ＳＣｂを介在したノイズや外乱の影響を他の接続経路の信号線ＳＣａに対して及ぼすことをなくすように構成したものである。【選択図】図２
2010113813.tif 000002
【特許請求の範囲】
【請求項１】
絶縁ハウジングに多極配列された複数の信号線及びグランド線により、信号経路及びグランド経路からなる一組の接続経路が複数組にわたって構成され、それら複数組の接続経路を電子回路に同時に接続させるものであって、
前記各接続経路におけるグランド経路が、前記グランド線と、そのグランド線に接続される適宜のグランド接続部材とにより構成された電気コネクタにおいて、
前記各接続経路における単数又は複数の信号線及びグランド線と、その単数又は複数の信号線及びグランド線を前記多極配列方向において両側から挟むように配置された少なくとも一対のグランド接続部材とが、前記電子回路の接続経路ごとに独立した一組の単位接続ユニットとして構成され、
その単位接続ユニットの複数組が、前記絶縁ハウジングに互いに分離した状態で取り付けられたものであって、
前記複数組の単位接続ユニットの内のいずれか一組の単位接続ユニット内に配置された単数又は複数のグランド線と、他の組の単位接続ユニット内に配置された単数又は複数のグランド線とが、電気的に独立した状態で、それぞれ異なる接続経路のグランド経路に接続されていることを特徴とする電気コネクタ。
【請求項２】
前記各々の単位接続ユニット内に配置された複数の信号線が、ディファレンシャル伝送を行うように構成されていることを特徴とする請求項１記載の電気コネクタ。
【請求項３】
前記グランド接続部材は、前記各単位接続ユニット内に配置された単数又は複数のグランド線を接続する長尺状のグランドバーに一体的に設けられたグランドコンタクトにより構成されていることを特徴とする請求項１記載の電気コネクタ。
【請求項４】
前記グランド接続部材には、前記各単位接続ユニットを覆うように設けられた導電性シェルの一部が接触するように設けられていることを特徴とする請求項１記載の電気コネクタ。
【請求項５】
前記各単位接続ユニット内の信号線及びグランド線が、同軸ケーブルにより構成されていることを特徴とする請求項１記載の電気コネクタ。
【請求項６】
印刷配線基板に実装されるものであって、前記印刷配線基板に半田接続されるホールドダウンが、単位接続ユニットごとに独立して設けられていることを特徴とする請求項１記載の電気コネクタ。
【発明の詳細な説明】
【技術分野】
【０００１】
本発明は、電子回路に対する複数の接続経路を接続するように構成された電気コネクタに関する。
【背景技術】
【０００２】
一般に、種々の電気機器には、一対のコネクタどうしを嵌合させるように構成された電気コネクタが広く用いられている。電気コネクタは、通常、複数の信号線及びグランド線を絶縁ハウジングに多極配列した構成を備えており、電子回路に対する信号の伝送を信号線により行うとともに、その伝送信号をシールドするためのグランド線が、グランドコンタクトなどの適宜のグランド接続部材を介してグランド回路に接続されるように構成されている。
【０００３】
このような電気コネクタでは、グランド線をグランド回路に接続するにあたっての作業性を向上させるために、例えば下記の特許文献１のように、グランドバー等の長尺状導電部材を用いて複数のグランド線どうしを一括的に接続するなど、グランド線をコモン接続する構成がしばしば採用されている。そのコモン接続された複数のグランド線は、例えば上述したグランドバーからグランド接続部材を通してグランド回路に接続されている。
【０００４】
一方、このような電気コネクタが、複数の接続経路を有する電子回路に接続される場合には、一つの電気コネクタに、信号経路及びグランド経路からなる一組の接続経路が複数組にわたって構成され、それら複数組の接続経路が電子回路に対して同時に接続される構成になされる。しかしながら、このように複数組の接続経路を電子回路に同時接続させる電気コネクタにおいて、上述したように複数のグランド線の全てを一括的に接続したり、任意のグランド線どうしをコモン接続したりする構成を採用すると、互いに異なる接続経路のグランド線どうしがコモン接続されることとなってしまい、一つの接続経路の信号線から発生したノイズや外乱が、コモン接続されたグランド線を介して他の接続経路の信号線に影響を及ぼすおそれがある。
【０００５】
特に、近年のように電気回路の高速化に伴い高周波信号の伝送を行う場合には、信号線とグランド線との配置関係によって微妙なインピーダンス調整が行われる等の背景があることから、伝送信号が高周波になるほどグランド線に乗ったノイズや外乱の影響を受けやすくなり、上述したグランド線のコモン接続（一括接続）が問題となるおそれがある。なお、グランド線のコモン接続を全く行わないようにすれば、ノイズや外乱の問題は解消されるが、グランド接続部材に対して複数のグランド線を個々に接続しなければならなくなり、電気コネクタの生産性が低下するとともに高価なものになってしまう。
【０００６】
【特許文献１】特開２００７−１５７５９４号公報
【発明の開示】
【発明が解決しようとする課題】
【０００７】
そこで本発明は、簡易な構成で、グランド線を介在したノイズや外乱の影響を、生産性を損なうことなく良好に防止することができるようにした電気コネクタを提供することを目的とする。
【課題を解決するための手段】
【０００８】
上記目的を達成するため本発明にかかる電気コネクタでは、絶縁ハウジングに多極配列された複数の信号線及びグランド線により、信号経路及びグランド経路からなる一組の接続経路が複数組にわたって構成され、それら複数組の接続経路を電子回路に同時に接続させるものであって、前記各接続経路におけるグランド経路が、前記グランド線と、そのグランド線に接続される適宜のグランド接続部材とにより構成された電気コネクタにおいて、前記各接続経路における単数又は複数の信号線及びグランド線と、その単数又は複数の信号線及びグランド線を前記多極配列方向において両側から挟むように配置された少なくとも一対のグランド接続部材とが、前記電子回路の接続経路ごとに独立した一組の単位接続ユニットとして構成され、その単位接続ユニットの複数組が、前記絶縁ハウジングに互いに分離した状態で取り付けられたものであって、前記複数組の単位接続ユニットの内のいずれか一組の単位接続ユニット内に配置された単数又は複数のグランド線と、他の組の単位接続ユニット内に配置された単数又は複数のグランド線とが、電気的に独立した状態で、それぞれ異なる接続経路のグランド経路に接続された構成が採用されている。
【０００９】
このような構成を有する電気コネクタによれば、電子回路の接続経路ごとに区分された一つの単位接続ユニット内の信号線及びグランド線が、他の単位接続ユニット内の信号線及びグランド線から分離・独立されているため、各単位接続ユニット内においてグランド線どうしをコモン接続しても、グランド線を介在したノイズや外乱の影響を他の接続経路の信号線に対して及ぼすことがなくなる。
【００１０】
また、本発明かかる電気コネクタでは、前記各々の単位接続ユニット内に配置された複数の信号線が、ディファレンシャル伝送を行うように構成されていることが望ましい。
【００１１】
このような構成を有する電気コネクタによれば、ディファレンシャル伝送によるノイズ打消し作用と相まって、特に高周波信号の伝送を行う場合の伝送特性が向上される。
【００１２】
また、本発明にかかる電気コネクタは、多種多様な構成とすることが可能である。例えば、本発明かかる電気コネクタにおけるグランド接続部材は、前記各単位接続ユニット内に配置された単数又は複数のグランド線をコモン接続する長尺状のグランドバーに一体的に設けられたグランドコンタクトにより構成されることが可能である。また、本発明にかかる電気コネクタにおけるグランド接続部材には、前記各単位接続ユニットを覆うように設けられた導電性シェルの一部が接触するように設けられることが可能である。さらに、本発明にかかる電気コネクタにおける各単位接続ユニット内の信号線及びグランド線が、同軸ケーブルにより構成されていることが可能である。さらにまた、本発明にかかる電気コネクタは、印刷配線基板に実装されるものであって、前記印刷配線基板に半田接続されるホールドダウンが、単位接続ユニットごとに独立して設けられることが可能である。
【発明の効果】
【００１３】
以上述べたように本発明にかかる電気コネクタは、電子回路の接続経路ごとに信号線及びグランド線を分離・独立させて単位接続ユニットを複数組構成し、電子回路の接続経路ごとに区分された一つの単位接続ユニット内の信号線及びグランド線を、他の単位接続ユニット内の信号線及びグランド線から分離・独立させることにより、各単位接続ユニット内のグランド線どうしをコモン接続してもグランド線を介在したノイズや外乱の影響を他の接続経路の信号線に対して及ぼすことをなくすように構成したものであるから、特に高周波信号の伝送を行う場合の伝送特性を簡易な構成で容易に向上させることができ、しかも生産性を損なうこともないので、電気コネクタの信頼性を安価かつ大幅に高めることができる。
【発明を実施するための最良の形態】
【００１４】
以下、複数本の同軸ケーブルを印刷配線基板側に接続する電気コネクタに本発明を適用した場合の実施形態に関する説明を図面に基づいて詳細に行う。
【００１５】
［コネクタ組立体の全体構造について］
まず、図１及び図２に表された本発明の一実施形態にかかる電気コネクタの組立体は、当該電気コネクタの組立体が接続される適宜の電子回路（図示省略）に対する複数の接続経路を有するものであって、その電子回路の複数の接続経路に対して同時接続を可能とする構成を備えている。すなわち、本実施形態の電気コネクタ組立体は、信号経路及びグランド経路からなる一組の接続経路を複数組にわたって有するものであり、それら複数組の接続経路の各々に対して接続される複数本の同軸ケーブルＳＣの端末部分が連結されたプラグコネクタ１０と、図示を省略した印刷配線基板上に実装されるリセプタクルコネクタ２０とからなる垂直嵌合型のコネクタを構成するものである。
【００１６】
このような電気コネクタ組立体を構成しているプラグコネクタ１０及びリセプタクルコネクタ２０は、前記同軸ケーブルＳＣの配列方向に沿って細長状に延在する形状を有しており、図示を省略した印刷配線基板上に実装されたリセプタクルコネクタ２０の直上位置にプラグコネクタ１０が略平行に配置された状態で、上記印刷配線基板と略直交する図示下方側に向かって前記プラグコネクタ１０が下降されていき、前記リセプタクルコネクタ２０の嵌合部分にプラグコネクタ１０の嵌合部分が差し込まれることによって、当該両コネクタ１０，２０どうしが図示のように嵌合される構成になされている。以下、プラグコネクタ１０を差し込む嵌合方向を下方向とし、それとは反対の抜き出す抜去方向を上方向とする。
【００１７】
［プラグコネクタについて］
ここで、前記プラグコネクタ１０は、図３〜図５にも示されているように、上述した同軸ケーブルＳＣの配列方向に沿って細長状に延在する絶縁部材からなるプラグハウジング（絶縁ハウジング）１１を有している。そのプラグハウジング１１の長尺状に延在する上面部分には、前記同軸ケーブルＳＣがそれぞれ連結された複数体（２体）のプラグ側単位接続ユニット１２，１２が取り付けられている。それらの各プラグ側単位接続ユニット１２は、接続先の電子回路に対する複数の接続経路の各々に対応してそれぞれ設けられており、当該各プラグ側単位接続ユニット１２どうしが、互いに電気的に独立して分離された状態で配置されている。
【００１８】
このときの前記各プラグ側単位接続ユニット１２には、複数体（２体）の同軸ケーブルＳＣがそれぞれ連結されていて、それら複数体（２体）の同軸ケーブルＳＣは、逆位相の信号を一対の信号線で伝送し、ノイズを打ち消し合う、いわゆるディファレンシャル（差動）伝送を行うように構成されている。以下、このプラグコネクタ１０、及びそのプラグコネクタ１０が嵌合されるリセプタクルコネクタ２０において、同軸ケーブルＳＣが連結された側を後端側（図２の右側）とし、それとは反対側を前端側（図２の左側）とする。
【００１９】
前記プラグハウジング（絶縁ハウジング）１１には、薄板状の金属部材を適宜の形状をなすように折り曲げ成形した導電性シェル１３が、例えば圧入により装着されている。その導電性シェル１３は、前記プラグ側単位接続ユニット１２，１２ごとに独立して分離された状態で設けられていて、前記プラグハウジング１１の上面部分から前端面部分にかけての部位を覆うように装着されている。この導電性シェル１３は、後述するようにプラグ側単位接続ユニット１２，１２ごとに独立したグランド経路を構成するようにプラグコネクタ１０に装着されており、当該導電性シェル１３の一部が、リセプタクルコネクタ２０側のホールドダウン２３ｂに対して電気的に接触される構成になされている。また、プラグコネクタ１０を部分的に覆うことで外部ノイズも遮断しており、それによって、いわゆるＥＭＩ対策としている。
【００２０】
［プラグ側単位接続ユニットについて］
また、上述したプラグ側単位接続ユニット１２は、特に図６に示されているように、当該プラグ側単位接続ユニット１２の後端部分に対して、信号伝送媒体としての同軸ケーブルＳＣの端末部分が、プラグ側単位接続ユニット１２ごとにそれぞれ２本ずつ連結されている。そのプラグ側単位接続ユニット１２に連結された各同軸ケーブルＳＣの端末部分は、特に図４及び図７に示されているように、被覆材が皮剥きされることによって、ケーブル中心導体（信号線）ＳＣａ及びケーブル外部導体（グランド線）ＳＣｂが同軸状をなすように露出されている。そして、その同軸ケーブルＳＣの中心軸線に沿うようにして配置されたケーブル中心導体ＳＣａが、前記プラグ側単位接続ユニット１２の内部に装着された信号伝送用の導電コンタクト（導電端子）１４に半田接続されている。このように、信号線としてのケーブル中心導体ＳＣａと、そのケーブル中心導体ＳＣａに半田接続された導電コンタクト１４とによって、前記プラグ側単位接続ユニット１２，１２ごとに独立した各組の接続経路の信号経路が構成されるようになっている。
【００２１】
上述した信号伝送用の導電コンタクト（導電端子）１４は、後述するグランド用のものとともに前記プラグハウジング（絶縁ハウジング）１１に対して、例えば圧入又はインサート成形により取り付けられている。これら信号伝送用及びグランド用の各導電コンタクト１４は、全て同一の形状をなすように形成されていて、長手方向の両端位置にグランド用のものが一対配置されているとともに、その内側には信号伝送用のものが一対配置されている。
【００２２】
各導電コンタクト１４は、前記ケーブル中心導体ＳＣａとの接続部分から後方側（図４の右方側）に向かって延びた後に略直角下方に折れ曲げられており、前記プラグハウジング１１の下面側に設けられた嵌合凸部１１ａの外表面に沿って横断面略Ｕ字状をなして延在するように形成されている。そして、その導電コンタクト１４の横断面略Ｕ字状をなす部分の途中位置には、前述したリセプタクルコネクタ２０側に接触する接点部１４ａが設けられている（図２参照）。それらの導電コンタクト１４の接点部１４ａは、前述したようにプラグコネクタ１０がリセプタクルコネクタ２０に嵌合された際に、後述するリセプタクルコネクタ２０側の接点部と接触して電気的な接続が行われ、それによって信号回路及びグランド回路が構成されるようになっている。
【００２３】
また、前述したようにケーブル中心導体ＳＣａの外周側を取り囲むように配置されたケーブル外部導体ＳＣｂは、上部グランドバー１５ａと下部グランドバー１５ｂとの間において上下に挟持されるように配置されており、それらの上部グランドバー１５ａと下部グランドバー１５ｂとの間にケーブル外部導体ＳＣｂが半田付けやカシメや圧接等により接続されている。当該両グランドバー１５ａ，１５ｂは、同軸ケーブルＳＣの多極配列方向である長手方向に沿って細長状に延在する板状部材から形成されていて、前記プラグハウジング（絶縁ハウジング）１１の上面部分に凹設された複数の装着ガイド部によって位置決めされている。そして、このような両グランドバー１５ａ，１５ｂを介して、前記各単位接続ユニット１２内に配置されたグランド線であるケーブル外部導体ＳＣｂどうしが電気的にコモン接続されて導通状態になされている。
【００２４】
また、上述した上部グランドバー１５ａの長手方向両端部分には、前方（図４の左方）に向かって階段状に突出する一対のグランドコンタクト１５ｃ，１５ｃが一体的に設けられている。それらの各グランドコンタクト１５ｃは、本発明でいうグランド接続部材を構成するものであって、前記上部グランドバー１５ａから上述したケーブル中心導体（信号線）ＳＣａとほぼ同一の高さとなる位置まで段差形状をなして下降するように形成されている。そして、そのように段差状に下降した前記各グランドコンタクト１５ｃの先端部分は、上述した導電コンタクト（導電端子）１４のうちのグランド用のものに対して上方側から接触した状態で半田接続されている。このように、グランド線としてのケーブル外部導体ＳＣｂと、そのケーブル外部導体ＳＣｂに上部グランドバー１５ａを介して接続されたグランド接続部材としてのグランドコンタクト１５ｃとにより、前述したプラグ側単位接続ユニット１２，１２ごとに独立した各組の接続経路のグランド経路が構成されるようになっている。
【００２５】
このように本実施形態においては、一つの電気コネクタに複数組のプラグ側単位接続ユニット１２が設けられているとともに、それら複数組のプラグ側単位接続ユニット１２の内のいずれか一組のプラグ側単位接続ユニット１２内に配置された単数又は複数のケーブル外部導体（グランド線）ＳＣｂと、他の組のプラグ側単位接続ユニット１２内に配置された単数又は複数のケーブル外部導体（グランド線）ＳＣｂとが、電気的に独立した状態で、それぞれ異なる接続経路のグランド経路に接続されている。
【００２６】
そのグランド用の導電コンタクト（導電端子）１４は、前述した信号伝送用の導電コンタクト１４と同一形状の部品から形成されており、当該導電コンタクト１４の横断面略Ｕ字状をなす延在部分の途中位置に設けられた接点部は、プラグコネクタ１０がリセプタクルコネクタ２０に嵌合された際に、後述するリセプタクルコネクタ２０側の接点部と接触して電気的な接続が行われるようになっている。
【００２７】
さらに、前記上部グランドバー１５ａには、前述した導電性シェル１３の一部が接触されており、その導電性シェル１３を介して前記プラグ側単位接続ユニット１２，１２ごとに独立した各組の接続経路のグランド経路が構成されるようになっている。すなわち、前記導電性シェル１３は、上述したプラグ側単位接続ユニット１２ごとに取り付けられており、他のプラグ側単位接続ユニット１２の導電性シェル１３から独立して分離された状態になされている。
【００２８】
その導電性シェル１３は、上述した同軸ケーブル（信号伝送媒体）ＳＣの端末部分との接続部分を上方側から覆うようにして前記プラグハウジング（絶縁ハウジング）１１に取り付けられている。この導電性シェル１３の外周縁部には、下方に向かって突出する複数のシェル固定片１３ａが設けられており、それらのシェル固定片１３ａが、前記プラグハウジング（絶縁ハウジング）１１に対して上方側から差し込まれるように圧入されることによって、当該導電性シェル１３全体の固定が行われている。
【００２９】
また、その導電性シェル１３の上面部分には、舌片状をなすように切欠き形成されたグランド接続バネ片１３ｂが斜め下方に延出するように設けられている。そのグランド接続バネ片１３ｂの延出側の先端部分は、上述した上部グランドバー１５ａに例えば、上方側から圧接、又は半田付けされており、それによって前記プラグ側単位接続ユニット１２，１２ごとに独立した各組の接続経路のグランド経路の一部が構成されている。
【００３０】
さらに、上記導電性シェル１３の後端縁部（図４の右端部）には、下方に向かって突状をなす媒体押圧片１３ｃが長尺溝状をなすように設けられており、その媒体押圧片１３ｃの下方凸部が、上述した同軸ケーブルＳＣの最外表面に圧接することによって、当該同軸ケーブルＳＣの保持が導電性シェル１３によって確実に行われる構成になされている。
【００３１】
［リセプタクルコネクタについて］
一方、上述したような構成を有するプラグコネクタ１０が嵌合される相手コネクタとしてのリセプタクルコネクタ２０も、前述したプラグコネクタ１０と同様に、接続先の電子回路に対する複数の接続経路ごとに独立したユニット構成を備えている。
【００３２】
すなわち、リセプタクルコネクタ２０は、特に図８及び図９に示されているように、前述したプラグハウジング（絶縁ハウジング）１１に対応した細長状のリセプタクルハウジング２１を備えている。そして、そのリセプタクルハウジング２１の後方側部分には、長手方向に沿って溝状をなす嵌合凹部２１ａが細長状に形成されており、その嵌合凹部２１ａの内部に、前述したプラグコネクタ１０側の嵌合突部１１ａが嵌り込むようにして、両コネクタ１０，２０の嵌合が行われるようになっている。
【００３３】
また、前記リセプタクルハウジング（絶縁ハウジング）２１の前方側部分には、前述したプラグ側単位接続ユニット１２，１２に対応した２つのリセプタクル側単位接続ユニット２２，２２が長手方向に分離・独立された状態で配置されている。そして、それらの各リセプタクル側単位接続ユニット２２ごとに、長手方向に沿って複数体（４体）の導電コンタクト（導電端子）２３〜２３が、例えば圧入又はインサート成形により取り付けられている。
【００３４】
これらの各リセプタクル側単位接続ユニット２２に設けられた各導電コンタクト（導電端子）２３は、前述した各プラグ側単位接続ユニット１２に設けられた導電コンタクト１４に対応して配列されており、長手方向の両端位置にグランド用のものが一対配置されているとともに、その内側には信号伝送用のものが一対配置されている。これらのグランド用及び信号伝送用の各導電コンタクト２２は、全て同一の形状をなすように形成されている。
【００３５】
また、これらのグランド用及び信号伝送用の各導電コンタクト（導電端子）２３は、前記リセプタクルハウジング２１の底面部において、当該リセプタクルハウジング２１から前方（図９の左方）に向かって略水平に所定量だけ延出する半田接続部２３aが設けられている。その半田接続部２２aは、図示を省略した印刷配線基板上の導電路に半田付けされて実装が行われるようになっている。
【００３６】
その導電コンタクト（導電端子）２３は、前記半田接続部２３aから前記リセプタクルハウジング２１の内方側（後方側）に延出しており、略直角上方に折れ曲げられることにより横断面略逆Ｕ字状をなすように延びた後に、前記リセプタクルハウジング２１の内表面に沿って横断面略Ｕ字状に延びる形状になされている。そして、その横断面略Ｕ字状をなす延在部分の先端側部分には、前述したプラグコネクタ１０の導電コンタクト１４側に接触する接点部２３ｄが設けられていて、前述したようにプラグコネクタ１０がリセプタクルコネクタ２０に嵌合された際に、当該導電コンタクト２３の接点部２３ｄが、プラグコネクタ１０側の接点部１４ａと接触して電気的な接続が行われ、それによって前述した接続経路ごとの信号経路及びグランド経路が構成されるようになっている。
【００３７】
さらにまた、前記各リセプタクル側単位接続ユニット２２には、リセプタクルハウジング２１の長手方向外方側に向かって舌片状に延出するホールドダウン２３ｂが設けられている。それらの各ホールドダウン２３ｂは、リセプタクル側単位接続ユニット２２ごとに独立して設けられた薄板状の金属部材から形成されている。この各ホールドダウン２３ｂの立壁部には、外方側に向かって突出する嵌合ロック凸部２３ｃがそれぞれ設けられていて、前述したプラグコネクタ１０がリセプタクルコネクタ２０に嵌合された際に、プラグコネクタ１０側の導電性シェル１３に設けられた嵌合ロック凹部１３ｄ（図５参照）に対して前記嵌合ロック凸部２３ｃが係合接触する構成になされていると共に、プラグコネクタ１０側の導電性シェル１３と電気的に接続する構成になされている。また、このホールドダウン２３ｂが、上述した印刷配線基板上の導電路に半田付けされることによって、グランド回路が構成されるとともに、リセプタクルコネクタ２０全体が強固に保持されるようになっている。
【００３８】
このような構成を有する本実施形態にかかるプラグコネクタ１０においては、電子回路の接続経路ごとに区分された一つのプラグ側単位接続ユニット１２内の信号線（ケーブル中心導体ＳＣａ）及びグランド線（ケーブル外部導体ＳＣｂ）が、他のプラグ側単位接続ユニット１２内の信号線及びグランド線から分離・独立されているため、各プラグ側単位接続ユニット１２内におけるグランド線どうしをコモン接続しても、グランド線を介在したノイズや外乱の影響を他の接続経路の信号線に対して及ぼすことがなくなる。
【００３９】
また、本実施形態にかかるプラグコネクタ１０においては、各々のプラグ側単位接続ユニット１２内に配置された複数の信号線（ケーブル中心導体ＳＣａ）が、ディファレンシャル伝送を行う構成としていることから、そのディファレンシャル伝送のノイズ打ち消し作用と相まって、特に高周波信号の伝送を行う場合の伝送特性が向上される。
【００４０】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４１】
例えば上述した実施形態では、プラグ側単位接続ユニット１２内において、両側のグランドコンタクト（グランド接続部材）１５ｃ，１５ｃの間に、２本のケーブル中心導体（信号線）ＳＣａ，ＳＣａを配置し、ノイズを打ち消し合う、いわゆるディファレンシャル伝送を行うことで特に有効に作用するが、１本又は３本以上の信号線を配置することも可能である。
【００４２】
また、上述した実施形態に用いられている同軸ケーブルは、一本の中心導体を一体の外部導体で覆った、いわゆる単芯の同軸ケーブルを構成するものであるが、二本の中心導体を一体の外部導体で覆った、いわゆる二芯の同軸ケーブルに対しても本発明は同様に適用することが可能である。
【００４３】
さらに、上述した実施形態では、プラグ側単位接続ユニット１２内に配置されたグランド線（ケーブル外部導体ＳＣｂ）どうしを電気的にコモン接続しているが、リセプタクル側単位接続ユニット２２内に配置されたグランド線どうしを電気的にコモン接続するようにしても良い。
【００４４】
さらにまた、上述した各実施形態は、垂直嵌合型の電気コネクタに本実施形態を適用したものであるが、水平嵌合型の電気コネクタに対しても同様に適用することができる。
【００４５】
また本発明は、上述した各実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００４６】
以上のように本実施形態は、各種電気機器に使用される多種多様な電気コネクタに対して広く適用することが可能である。
【図面の簡単な説明】
【００４７】
【図１】本発明の一実施形態におけるプラグコネクタをリセプタクルコネクタに嵌合したコネクタ組立体の全体を後方側から表した外観斜視説明図である。
【図２】図１中のII−II線に沿った横断面説明図である。
【図３】図１及び図２に示されたコネクタ組立体を構成しているプラグコネクタの単独を後方側から表した外観斜視説明図である。
【図４】図３中のIV−IV線に沿った横断面説明図である。
【図５】図４に示されたプラグコネクタを底面側から表した外観斜視説明図である。
【図６】図４に示されたプラグコネクタから導電性シェルを取り外した状態を後方側から表した外観斜視説明図である。
【図７】図６に示されたプラグコネクタに設けられた１つのプラグ側単位接続ユニット内におけるケーブル接続部分の構成を拡大して表した後方側からの外観斜視説明図である。
【図８】図１及び図２に示されたコネクタ組立体を構成しているリセプタクルコネクタの単独を後方側から表した外観斜視説明図である。
【図９】図８中のIX−IX線に沿った横断面説明図である。
【符号の説明】
【００４８】
１０  プラグコネクタ
１１  プラグハウジング（絶縁ハウジング）
１１ａ  嵌合凸部
１２  プラグ側単位接続ユニット
１３  導電性シェル
１３ａ  シェル固定片
１３ｂ  グランド接続バネ片
１３ｃ  媒体押圧片
１３ｄ  嵌合ロック凹部
１４  導電コンタクト（導電端子）
１４ａ  接点部
１５ａ  上部グランドバー
１５ｂ  下部グランドバー
１５ｃ  グランドコンタクト（グランド接続部材）
２０  リセプタクルコネクタ
２１  リセプタクルハウジング（絶縁ハウジング）
２１ａ  嵌合凹部
２２  リセプタクル側単位接続ユニット
２３  導電コンタクト（導電端子）
２３a  半田接続部
２３ｂ  ホールドダウン
２３ｃ  嵌合ロック凸部
２３ｄ  接点部
ＳＣ  同軸ケーブル（信号伝送媒体）
ＳＣａ  ケーブル中心導体（信号線）
ＳＣｂ  ケーブル外部導体（グランド線）
【図１】
2010113813.tif 000003
【図２】
2010113813.tif 000004
【図３】
2010113813.tif 000005
【図４】
2010113813.tif 000006
【図５】
2010113813.tif 000007
【図６】
2010113813.tif 000008
【図７】
2010113813.tif 000009
【図８】
2010113813.tif 000010
【図９】
2010113813.tif 000011